(57)【要約】      （修正有）【課題】電子機器を小物入れ部に入れて充電しながら使用でき、握り部のＵ字溝を簡単なフックとして使用できる外部小物入れ部を備えたキャリーバッグを提供する。【解決手段】キャリーバッグはバッグ本体と、側面に取り付けられたキャリーバー機構２とを含み、キャリーバー機構が伸縮可能なキャリーバーを含み、キャリーバーにバッグ本体上への固定用上方取り付け部材５及び下方取り付け部材６が各々嵌設され、上方取り付け部材に小物入れ部７が設けられる。小物入れ部内に設けられた数本の荷締めベルトを通じてパワーバンク等の物品を固定でき、かつ小物入れ部の側壁にＵＳＢポートが設けられ、ＵＳＢポートの一端はパワーバンクと接続し、他端が充電線により直接電子機器と接続し、またキャリーバーの握り部４両側のＵ字溝に電子機器を入れるための第２小物入れ部が形成される。【選択図】図２
0003218180.tif 000002
【実用新案登録請求の範囲】
【請求項１】
バッグ本体と、側面に取り付けられたキャリーバー機構とを含み、前記キャリーバー機構は、伸縮可能なキャリーバーを含み、前記キャリーバーの頂端にキャリーバーの握り部が嵌設され、前記キャリーバーにバッグ本体上への固定用上方取り付け部材及び下方取り付け部材が各々嵌設された外部小物入れ部を備えたキャリーバッグであって、前記上方取り付け部材に小物入れ部が設けられ、前記小物入れ部内に数本の荷締めベルトが設けられ、前記小物入れ部の一端にヒンジ連結を通じて蓋が設けられ、他端は係着又はロックの機構を通じて前記蓋と連結され、前記小物入れ部の側壁にＵＳＢポートが設けられ、前記ＵＳＢポートに防塵カバーがヒンジで連結していることを特徴とする、外部小物入れ部を備えたキャリーバッグ。
【請求項２】
前記キャリーバーの握り部は、握り部本体と、前記キャリーバーの伸縮を制御する制御ボタンとを含み、前記握り部本体の両端にキャリーバー差込部材が各々設けられ、前記キャリーバー差込部材にＵ字溝が設けられることで、前記握り部本体両端の前記キャリーバー差込部材にある前記Ｕ字溝で電子機器を入れることができる第２小物入れ部を構成させることを特徴とする、請求項１に記載の外部小物入れ部を備えたキャリーバッグ。
【請求項３】
前記握り部本体の一端にある前記キャリーバー差込部材の前記Ｕ字溝に側板が設けられることを特徴とする、請求項２に記載の外部小物入れ部を備えたキャリーバッグ。
【請求項４】
前記伸縮可能なキャリーバーに複数の制御ポジションが均一に設けられることを特徴とする、請求項２に記載の外部小物入れ部を備えたキャリーバッグ。
【請求項５】
前記蓋のヒンジ連結側にリミット機構が設けられることを特徴とする、請求項１に記載の外部小物入れ部を備えたキャリーバッグ。
【請求項６】
前記リミット機構は、前記蓋のヒンジ連結側に設けられた円弧状の摺動溝と、前記小物入れ部に設けられマッチするスライドとを含むことを特徴とする、請求項５に記載の外部小物入れ部を備えたキャリーバッグ。
【請求項７】
前記バッグ本体に第１取手が設けられ、右側に第２取手が設けられることを特徴とする、請求項１に記載の外部小物入れ部を備えたキャリーバッグ。
【請求項８】
前記バッグ本体の底部に自由に回転可能なキャスターが設けられることを特徴とする、請求項１に記載の外部小物入れ部を備えたキャリーバッグ。
【考案の詳細な説明】
【技術分野】
【０００１】
本考案は、キャリーバッグ技術分野に属し、特に、外部小物入れ部を備えたキャリーバッグに関する。
【背景技術】
【０００２】
携帯型電子機器の機能は、益々多様化され、特に現在生活中のタブレット端末及び携帯電話の普及により、電池への要求も益々高くなり、電子機器の持ち運びの便利さを保証するため、電子機器に装備する電池が一般的に大き過ぎてはならない。ただし、電池の有限な体積もその蓄電容量も制限され、電子機器の航続力に直接影響を及ぼす。
【０００３】
特に屋外環境における電子機器の電池の電力を間もなく使い切る時、直ちに電子機器充電用コンセントを見つけることが困難である。電子機器の正常な使用を保証するため、通常モバイルバッテリーを持ち運ぶことで電子機器にリアルタイムで充電する。
【０００４】
移動時に引っ張るという便宜を図るため、トランクにキャリーバー及びキャスターを追加することで、携帯の負担を大幅に軽減できるため、使用に便利で且つ幅広く使用されている。通常キャリーバーを設けられた空間を使用できないことにより、無駄な空間となり、キャリーバッグ全体の空間利用率が低下し、携帯者にとって一定の空間内に収納できる物品は多ければ多いほど良い。ただし、現在この面の要求を完全に満たすことができていない。
【考案の概要】
【考案が解決しようとする課題】
【０００５】
従来技術に存在している不足について、本考案は、外部小物入れ部を備えたキャリーバッグを提供することを目的とする。
【課題を解決するための手段】
【０００６】
上記目的を達成するため、本考案が採用する技術的手段としては、
外部小物入れ部を備えたキャリーバッグであって、該キャリーバッグはバッグ本体と、側面に取り付けられたキャリーバー機構とを含み、前記キャリーバー機構が伸縮可能なキャリーバーを含み、前記キャリーバーの頂端にキャリーバーの握り部が嵌設され、前記キャリーバーにバッグ本体上への固定用上方取り付け部材及び下方取り付け部材が各々嵌設され、前記上方取り付け部材に小物入れ部が設けられ、前記小物入れ部内に数本の荷締めベルトが設けられ、前記小物入れ部の一端にヒンジ連結を通じて蓋が設けられ、他端は係着又はロックの機構を通じて蓋と連結され、前記小物入れ部の側壁にＵＳＢポートが設けられ、前記ＵＳＢポートに防塵カバーがヒンジで連結している。
【０００７】
好ましくは、前記キャリーバーの握り部は、握り部本体と、キャリーバーの伸縮を制御する制御ボタンとを含み、前記握り部本体の両端にキャリーバー差込部材が各々設けられ、前記キャリーバー差込部材にＵ字溝が設けられることで、握り部本体両端のキャリーバー差込部材にあるＵ字溝で電子機器を入れることができる第２小物入れ部を構成させる。
【０００８】
好ましくは、前記握り部本体の一端にあるキャリーバー差込部材のＵ字溝に側板が設けられる。
【０００９】
好ましくは、前記伸縮可能なキャリーバーに複数の制御ポジションが均一に設けられる。
【００１０】
好ましくは、前記蓋のヒンジ連結側にリミット機構が設けられる。
【００１１】
好ましくは、前記リミット機構は、蓋のヒンジ連結側に設けられた円弧状の摺動溝と、小物入れ部に設けられマッチするスライドとを含む。
【００１２】
好ましくは、前記バッグ本体に第１取手が設けられ、右側に第２取手が設けられる。
【００１３】
好ましくは、前記バッグ本体の底部に自由に回転可能なキャスターが設けられる。
【考案の効果】
【００１４】
本考案の構造設計が合理的で、キャリーバーの上方取り付け部材に小物入れ部を設け、小物入れ部内に設けられた数本の荷締めベルトを通じてパワーバンク等の物品を固定でき、かつ小物入れ部の側壁にＵＳＢポートが設けられ、該ＵＳＢポートの一端はパワーバンクと接続し、他端が充電線により直接電子機器と接続し、またキャリーバーの握り部両側のＵ字溝に電子機器を入れるための第２小物入れ部が形成され、使用者に直接電子機器を第２小物入れ部に入れて充電しながら使用することができ、単一のＵ字溝が使用者に簡単なフックとして使用させることができる。
【図面の簡単な説明】
【００１５】
【図１】本考案の構造を示す模式図である。
【図２】本考案に係るキャリーバー機構の構造を示す模式図である。
【図３】本考案に係る上方取り付け部材の構造を示す模式図である。
【図４】本考案に係るキャリーバーの握り部正面構造図である。
【図５】本考案に係るキャリーバーの握り部立体構造図である。
【考案を実施するための形態】
【００１６】
以下に、添付図面を組み合わせて本考案の具体的実施形態を詳細に説明する。
【００１７】
図１乃至図３に示すように、外部小物入れ部を備えたキャリーバッグであって、該キャリーバッグは、バッグ本体１と、側面に取り付けられたキャリーバー機構２とを含み、前記バッグ本体に第１取手２０が設けられ、右側に第２取手２１が設けられ；前記バッグ本体の底部に自由に回転可能なキャスター２２が設けられ；前記キャリーバー機構２は、伸縮可能なキャリーバー３を含み、前記伸縮可能なキャリーバー３に複数の制御ポジション１７が均一に設けられ；前記キャリーバー３の頂端にキャリーバーの握り部４が嵌設され、前記キャリーバー３にバッグ本体１への固定用上方取り付け部材５及び下方取り付け部材６が各々嵌設され、前記上方取り付け部材５に小物入れ部７が設けられ、前記小物入れ部７内に数本の荷締めベルト８が設けられ、前記小物入れ部７の一端にヒンジ連結を通じて蓋９が設けられ、他端は係着又はロックの機構を通じて蓋９と連結され、前記蓋９のヒンジ連結側にリミット機構が設けられ；前記リミット機構は、蓋のヒンジ連結側に設けられた円弧状の摺動溝１８と、小物入れ部に設けられマッチするスライド１９とを含み、前記小物入れ部７の側壁にＵＳＢポート１０が設けられ、前記ＵＳＢポート１０に防塵カバー１１がヒンジで連結する。
【００１８】
図４乃至図５に示すように、前記キャリーバーの握り部４は、握り部本体１２と、キャリーバーの伸縮を制御する制御ボタン１３とを含み、前記握り部本体１２の両端にキャリーバー差込部材１４が各々設けられ、前記キャリーバー差込部材１４にＵ字溝１５が設けられることで、握り部本体１２両端のキャリーバー差込部材１４にあるＵ字溝１５で電子機器を入れることができる第２小物入れ部を構成させ、前記握り部本体１２の一端にあるキャリーバー差込部材１４のＵ字溝１５に側板１６が設けられる。
【符号の説明】
【００１９】
１  バッグ本体
１０  ＵＳＢポート
１１  防塵カバー
１２  握り部本体
１３  制御ボタン
１４  キャリーバー差込部材
１５  Ｕ字溝
１６  側板
１７  制御ポジション
１８  摺動溝
１９  スライド
２  キャリーバー機構
２０  第１取手
２１  第２取手
２２  キャスター
３  キャリーバー
４  握り部
５  固定用上方取り付け部材
６  下方取り付け部材
７  小物入れ部
８  荷締めベルト
９  蓋
【図１】
0003218180.tif 000003
【図２】
0003218180.tif 000004
【図３】
0003218180.tif 000005
【図４】
0003218180.tif 000006
【図５】
0003218180.tif 000007